(57)【要約】【課題】変形を抑えつつ低コスト化を図ることができるふとん籠を提供する。【解決手段】底面１０ａと側面１０ｂとを有するふとん籠であって、底面１０ａ及び側面１０ｂが、金属線材を格子状に配置し、交差部分を溶着した溶接金網からなり、底面１０ａ及び側面１０ｂを構成する溶接金網の一部が、自身の軸回りに捻られ塑性変形した捻り加工済みの金属線材によって形成されており、捻り加工済みの金属線材からなる溶接金網が底面１０ａから側面１０ｂに跨っている。【選択図】図２
2020060029.tif 000002
【特許請求の範囲】
【請求項１】
底面と側面とを有するふとん籠であって、
底面及び側面が溶接金網からなり、
底面又は側面を構成する溶接金網の一部が、自身の軸回りに捻られ塑性変形した捻り加工済みの金属線材によって形成されている、ふとん籠。
【請求項２】
底面と側面とを有するふとん籠であって、
底面及び側面が溶接金網からなり、
底面及び側面を構成する溶接金網の一部が、自身の軸回りに捻られ塑性変形した捻り加工済みの金属線材によって形成されている、ふとん籠。
【請求項３】
捻り加工済みの金属線材からなる溶接金網が底面から側面に跨っている、請求項２記載のふとん籠。
【請求項４】
側面のうち、設置時に外部に露出する部分に、捻り加工済みの金属線材からなる溶接金網が用いられている、請求項１から３のいずれかに記載のふとん籠。
【発明の詳細な説明】
【技術分野】
【０００１】
この発明は、ふとん籠に関する。
【背景技術】
【０００２】
ふとん籠としては、古くから菱形金網で構成されたものが使用されてきた。菱形金網は、網目が菱形になるように金属線材を編むことでなり、金属線材同士が交差部分で完全には固定されていない。そのため、菱形金網からなるふとん籠は屈撓性に富んでおり、設置面や他のふとん籠との馴染みが良い。ただその一方で、自然石や砕石などの中詰め材を充填すると大きく変形し、外観を損なうことがあった。
【０００３】
そこで近年では、溶接金網を用いたふとん籠も見られるようになっている（例えば特許文献１参照）。溶接金網は、金属線材を格子状に配置し、交差部分を溶着しているため、菱形金網に比べて変形し難く、中詰め材の充填による外観の乱れを抑制することができる。
【先行技術文献】
【特許文献】
【０００４】
【特許文献１】特開２０１１−２５２３３０号公報
【発明の概要】
【発明が解決しようとする課題】
【０００５】
ただ、重機で中詰め材を充填する場合、どうしても変形が生じることがあった。変形を抑制するために網目のピッチを小さくしたり、金属線材の径を大きくすることも考えられるが、その分、使用材料も増え、コスト増に繋がる。
【０００６】
そこで本発明は、変形を抑えつつ低コスト化を図ることができるふとん籠の提供を目的とする。
【課題を解決するための手段】
【０００７】
本発明のふとん籠は、底面１０ａと側面１０ｂとを有するふとん籠であって、底面１０ａ及び側面１０ｂが溶接金網からなり、底面１０ａ及び／又は側面１０ｂを構成する溶接金網の一部が、自身の軸回りに捻られ塑性変形した捻り加工済みの金属線材によって形成されていることを特徴としている。
【０００８】
捻り加工済みの金属線材からなる溶接金網が底面１０ａから側面１０ｂに跨っていることが好ましい。また、側面１０ｂのうち、設置時に外部に露出する部分に、捻り加工済みの金属線材からなる溶接金網が用いられていることが好ましい。
【発明の効果】
【０００９】
本発明のふとん籠は、底面又は側面を構成する溶接金網の一部が、自身の軸回りに捻られ塑性変形した捻り加工済みの金属線材によって形成されている、若しくは、底面及び側面を構成する溶接金網の一部が、捻り加工済みの金属線材によって形成されている。捻り加工済みの金属線材は、塑性変形によるひずみ硬化が生じているため、捻り加工が施されていない金属線材に比べて剛性が高い。そのため、捻り加工済みの金属線材からなる溶接金網を用いることで、ふとん籠の変形を抑制することができる。また、捻り加工済みの金属線材からなる溶接金網をふとん籠全体に使用した場合、屈撓性に劣り、設置面や他のふとん籠との馴染みが悪くなるが、本願発明では部分的な使用に留めているため、そのような問題も生じ難く、さらに安価となる。
【００１０】
また、中詰め材を充填すると、側面が孕み出す（外側に向かって膨れるようにして変形する）が、捻り加工済みの金属線材からなる溶接金網が底面から側面に跨っていれば、底面が側面と一体となって孕み出しに抗することとなり、孕み出しを抑制することができる。側面のうち、設置時に外部に露出する部分に、捻り加工済みの金属線材からなる溶接金網を用いていれば、捻り加工済みの金属線材の使用箇所を少なくしつつも、側面の変形を効果的に抑制することができる。
【図面の簡単な説明】
【００１１】
【図１】この発明の一実施形態に係るふとん籠を示す分解斜視図である。
【図２】本体部の端面図である。
【図３】捻り加工済みの金属線材からなる溶接金網を示す斜視図である。
【図４】捻り加工を施していない非加工の金属線材からなる溶接金網を示す斜視図である。
【図５】ふとん籠の設置状態を示す概略側面図である。
【図６】この発明の異なる実施形態に係るふとん籠の本体部の端面図である。
【発明を実施するための形態】
【００１２】
次に、この発明のふとん籠の一実施形態を図面に基づいて詳細に説明する。このふとん籠１は、図１に示すように略直方体状であって、上面に開口を有する箱体１０と、箱体１０の開口を塞ぐ上蓋２０とを備えている。
【００１３】
箱体１０は、略矩形状の底面１０ａと、底面１０ａの４つの辺からそれぞれ立ち上がる側面１０ｂとを備えており、前面網１１と、背面網１２と、一対の側面網１３、１３とを組み合わせることで構成されている。
【００１４】
前面網１１は、１枚の略矩形状の溶接金網を略Ｌ字状に折曲してなり、図２に示すように、底部１１ａと立ち上がり部１１ｂとを備えている。底部１１ａの幅Ｗ１１は例えば３００ｍｍである。立ち上がり部１１ｂの高さＨ１１は例えば５００ｍｍである。なお、長手方向の長さＬ１１（図１参照）は例えば２０００ｍｍである。溶接金網を構成する金属線材のうち、底部１１ａから立ち上がり部１１ｂにかけて連続し、立ち上がり部１１ｂにおいて鉛直方向に沿う金属線材を縦線とし、この縦線と直交する金属線材を横線とした場合、縦線は例えば１００ｍｍ間隔で配置されている。横線についても基本的には１００ｍｍ間隔で配置されているが、立ち上がり部１１ｂの孕み出しを抑制する中間ステー材１４を連結するため、立ち上がり部１１ｂの高さ方向の中間部には別途、横線が配置されている。なお、中間ステー材１４は、両端がフック状とされており、一端が前面網１１に連結され、他端が背面網１２に連結される。これら横線は、Ｌ字状とされた縦線のコーナー部を除いて、縦線の内側（箱体１０の内面側）に配置されている。コーナー部の横線については、縦線の外側（箱体１０の外面側）に配置されている。
【００１５】
背面網１２についても、前面網１１と同様に、１枚の略矩形状の溶接金網を略Ｌ字状に折曲してなり、底部１２ａと立ち上がり部１２ｂとを備えている。底部１２ａの幅Ｗ１２は、前面網１１の底部１１ａの幅Ｗ１１よりも広く、例えば７００ｍｍである。立ち上がり部１２ｂの高さＨ１２と長手方向の長さＬ１２は前面網１１と同様である。また、縦線の間隔も例えば１００ｍｍであって前面網１１と同様である。一方、横線の間隔については例えば１５０ｍｍとされており、前面網１１に比べて間隔が広い。また、中間ステー材１４を連結するため、立ち上がり部１２ｂの高さ方向の中間に位置する横線は２本とされている。この２本の横線は、縦線を内外から挟み込むようにして配置されている。他の横線については、縦線の内側（箱体１０の内面側）に配置されている。
【００１６】
上記構成の前面網１１と背面網１２とは、底部１１ａ、１２ａの先端同士を連結することで略Ｕ字状の本体部Ｂを構成する。連結は、金属線材を螺旋状に巻回したコイル材などの連結部材１５を用いて行う。また本体部Ｂは、通常、１つの前面網１１と１つの背面網１２で構成されるのではなく、設置面の長さに応じて前面網１１と背面網１２とを組み合わせたものを長手方向に複数連結することで構成される。そして本体部Ｂ内には、溶接金網からなる仕切網１６が例えば２０００ｍｍ間隔で設けられる。各網１１、１２、１６間の連結は、コイル材などの連結部材１５を用いて行う。
【００１７】
一対の側面網１３、１３は、図１に示すように、本体部Ｂの両端を塞ぐようにして配置されるものである。従って、高さＨ１３は前面網１１や背面網１２の立ち上がり部１１ｂ、１２ｂの高さＨ１１、Ｈ１２と略等しい。幅Ｗ１３については前面網１１と背面網１２の底部１１ａ、１２ａの幅Ｗ１１、Ｗ１２を足し合わせたものと略等しい。この側面網１３は、１枚の略矩形状の溶接金網からなる。なお、前面網１１や背面網１２と異なり、折曲加工は施されておらず略平板状である。縦線の間隔及び横線の間隔は例えば１００ｍｍである。側面網１３にも孕み出しを抑制するための側面ステー材１７が連結される。なお、側面網１３については、側面ステー材１７を連結するために別途横線を設けたり、横線を二重にしたりといった補強がなされていない。ただ補強しても良い。側面ステー材１７の配置間隔は、中間ステー材１４よりも狭くすることが好ましく、例えば中間ステー材１４の１／３〜１／６程度の間隔で配置することが好ましい。なお、側面ステー材１７の両端もフック状であり、他端は、前面網１１や背面網１２の底部１１ａ、１２ａに連結され、斜めに配置される。
【００１８】
側面網１３は、下端が本体部Ｂ（前面網１１と背面網１２）の底部１１ａ、１２ａと連結され、左右端がそれぞれ本体部Ｂ（前面網１１と背面網１２）の立ち上がり部１１ｂ、１２ｂと連結される。連結は、コイル材などの連結部材１５を用いて行う。これにより箱体１０が完成する。
【００１９】
ところで、各網を構成する溶接金網は、金属線材を格子状に配置し、交差部分を溶着することで形成されているが、網によって用いる金属線材が異なっている。具体的には、前面網１１と側面網１３には、自身の軸回りに捻られ塑性変形した捻り加工済みの金属線材が用いられ（図３参照）、背面網１２には、捻り加工を施していない非加工の金属線材が用いられている（図４参照）。
【００２０】
捻り加工済みの金属線材は、いわゆるスクリューバーである。一辺が例えば６ｍｍの断面略正方形状の素材を、例えば長さ１５０ｍｍ当たり１回転させることでなり、その側面には角部によって螺旋状の模様が４本形成されている。なお、断面形状としては略正方形状に限らず矩形や多角形、円形（楕円を含む）でも良い。また軸回りに回転させる数（捻りの程度）は、ひずみ硬化を考慮して適宜変更しても良い。
【００２１】
非加工の金属線材は、例えば直径５ｍｍの断面略円形の線材であって、例えば丸鉄線（ＳＷＭ−Ｐ）である。なお、断面形状は略円形に限らず、矩形や多角形などでも良い。
【００２２】
上蓋２０は、箱体１０の底面１０ａと略同形状とされた溶接金網からなる。縦線と横線の間隔は例えばそれぞれ１５０ｍｍとされている。金属線材としては、非加工の金属線材を用いるが、捻り加工済みの金属線材を用いても良い。また、溶接金網ではなく、網目が菱形になるように金属線材を編むことでなる菱形金網としても良い。
【００２３】
上記構成のふとん籠１は、図５に示すように、背面網１２の立ち上がり部１２ｂを法面（傾斜面）に対向させるようにして設置される。そのため、設置状態において、前面網１１の立ち上がり部１１ｂと側面網１３とはそれぞれ外部に露出し、周囲から目視できる状態となる。ただ、前面網１１と側面網１３とが、捻り加工済みの金属線材を用いた溶接金網から構成されているため、捻り加工を行っていない非加工の金属線材を用いた溶接金網から構成した場合に比べて孕み出しなどの変形の程度が小さく、外観をきれいに保つことができる。特に、前面網１１が１枚の溶接金網を折曲してなる、換言すれば、捻り加工済みの金属線材からなる溶接金網が底部１１ａ（底面１０ａ）から立ち上がり部１１ｂ（側面１０ｂ）に跨っているため、底部１１ａと立ち上がり部１１ｂが一体となって孕み出しに抗することとなり、特に目に付き易い前面側の施工面をきれいに保つことができる。その一方で、背面網１２については非加工の金属線材を用いた溶接金網で構成しているため、ふとん籠１全体を、捻り加工済みの金属線材を用いた溶接金網で構成した場合に比べて屈撓性に富み、傾斜面や設置面、多段積みした際の下のふとん籠との馴染みが良く、安定した施工が行える。また、溶接金網の一部が、捻り加工済みの金属線材によって形成されているに過ぎない（溶接金網の他の一部（残り）が、捻り加工が施されていない非加工の金属線材によって形成されている）ため、溶接金網の全てを捻り加工済みの金属線材で形成した場合に比べて低コストとなる。
【００２４】
図６は、本発明のふとん籠の異なる実施形態を示している。このふとん籠２は、前面網３１の立ち上がり部１１ｂが内側に傾いている。傾きの程度は、例えば五分勾配や三分勾配である。このように、前面網３１の立ち上がり部１１ｂが傾斜していると、立ち上がり部１１ｂを揃えるようにして多段積みを行うことで、体裁の整った外観が得られる。特に、本発明のふとん籠２では、外部に露出する前面網１１に、捻り加工済みの金属線材によって形成された溶接金網を用いているため、孕み出しがより抑制され、きれいな施工面を形成することができる。他の構成については、上記実施形態のふとん籠１と同様である。従って、同符号を付し、詳細な説明は省略する。
【００２５】
以上に、この発明の実施形態について説明したが、この発明は上記実施形態に限定されるものではなく、この発明の範囲内で種々変更して実施することが可能である。例えば、上記実施形態では、前面網１１、３１と背面網１２とがそれぞれ底部１１ａ、１２ａを有していたが、いずれかが底部を備えなくても良い。また、双方とも底部を備えず、別途、底部形成用の網を設けても良い。また、各種寸法を記載していたがあくまで例示に過ぎず、適宜変更可能である。例えば、本体部Ｂの幅（前面網１１、３１と背面網１２の底部１１ａ、１２ａの幅の和）が１０００ｍｍとされていたが、例えば８００ｍｍや１２００ｍｍなどとしても良い。前面網１１、３１や背面網１２の長手方向の長さも２０００ｍｍに限らず、１０００ｍｍなどとしても良い。立ち上がり部１１ａ、１２ａや側壁網１３の高さについても同様である。各網の縦線や横線の間隔についても同様に適宜変更可能である。
【符号の説明】
【００２６】
１、２  ふとん籠
１０  箱体
１０ａ  底面
１０ｂ  側面
１１、３１  前面網
１１ａ  底部
１１ｂ  立ち上がり部
Ｗ１１  底部の幅
Ｈ１１  立ち上がり部の高さ
Ｌ１１  長手方向の長さ
１２  背面網
１２ａ  底部
１２ｂ  立ち上がり部
Ｗ１２  底部の幅
Ｈ１２  立ち上がり部の高さ
Ｌ１２  長手方向の長さ
１３  側面網
Ｈ１３  高さ
Ｗ１３  幅
１４  中間ステー材
１５  連結部材
１６  仕切網
１７  側面ステー材
２０  上蓋
Ｂ  本体部
【図１】
2020060029.tif 000003
【図２】
2020060029.tif 000004
【図３】
2020060029.tif 000005
【図４】
2020060029.tif 000006
【図５】
2020060029.tif 000007
【図６】
2020060029.tif 000008